(57)【要約】      （修正有）【課題】衝撃吸収用等の突起体を利用することによって導電路を容易に形成することができる帯電防止靴を提供する。【解決手段】導電路２Ａが形成された靴底２の上面を覆うインソール３に取付孔３Ａを設け、衝撃吸収用の突起体４を導電性材料で形成し、前記突起体を前記インソールの前記取付孔に取り付けて前記突起体を前記インソールの上面から突出させると共に、前記突起体と前記靴底の前記導電路とを接触させたことを特徴とする。【選択図】図１
0003109513.tif 000002
【実用新案登録請求の範囲】
【請求項１】
導電路が形成された靴底の上面を覆うインソールに取付孔を設け、衝撃吸収用の突起体を導電性材料で形成し、前記突起体を前記インソールの前記取付孔に取り付けて前記突起体を前記インソールの上面から突出させると共に、前記突起体と前記靴底の前記導電路とを接触させたことを特徴とする帯電防止靴。
【請求項２】
導電路が形成された靴底の上面を覆うインソールに取付孔を設け、つぼ刺激用の突起体を導電性材料で形成し、前記突起体を前記インソールの前記取付孔に取り付けて前記突起体を前記インソールの上面から突出させると共に、前記突起体と前記靴底の前記導電路とを接触させたことを特徴とする帯電防止靴。
【請求項３】
前記突起体は、本体部と、支持部と、本体部及び支持部を結ぶくびれ部とを備えた導電ラバーの成形体であり、弾性変形によって前記くびれ部が前記取付孔に着脱自在に取り付けられ、前記本体部を前記インソールの上面から突出させ、前記支持部を前記導電路に接触させたことを特徴とする請求項１又は２に記載の帯電防止靴。
【請求項４】
前記取付孔を前記インソールの踵部に設け、前記取付孔に前記突起体を取り付けたことを特徴とする請求項１又は３に記載の帯電防止靴。
【請求項５】
前記靴底は、上から順に積層される中底、ミッドソール及びアウターソールを備え、
前記導電路は、前記中底及び前記アウターソールの全部又は一部に形成される導電部と、前記ミッドソールに設けられる挿通孔と、前記挿通孔に挿通される導電糸とを備え、かつ、前記導電糸の両端部側は前記挿通孔から上方及び下方に導出されて前記中底及び前記アウターソールの各導電部に接触するように構成され、
前記突起体を前記中底の前記導電部に接触させたことを特徴とする請求項１から４のいずれかに記載の帯電防止靴。
【請求項６】
前記中底の前記導電部は、導電糸を前記中底の上下面に露出するように前記中底に縫い込んで形成されたことを特徴とする請求項１から５のいずれかに記載の帯電防止靴。
【請求項７】
前記アウターソールは導電性材料の成形体であって、前記アウターソール全体を前記導電部としたことを特徴とする請求項１から６のいずれかに記載の帯電防止靴。
【考案の詳細な説明】
【技術分野】
【０００１】
本考案は、帯電防止靴に関するものである。
【背景技術】
【０００２】
帯電した静電気は靴から地中に自然放電されるが、最近の靴は、靴底に電気を通しにくい合成ゴムや合成樹脂などの絶縁体が使われていることが多いので、静電気が地面に逃げ難いという問題がある。
そこで、導電性物質を用いて靴底に導電性を付与した種々の帯電防止靴が提案されている。
一方、足裏を支持する靴底の支持面に衝撃吸収用に突起を設けた靴が提案されている。
【考案の開示】
【考案が解決しようとする課題】
【０００３】
そこで、本考案は、衝撃吸収用等の突起体を利用することによって導電路を容易に形成することができる帯電防止靴を提供することを課題とする。
【課題を解決するための手段】
【０００４】
本考案者は、前記課題を解決するために鋭意研究を重ねて完成されたものである。
１．導電路が形成された靴底の上面を覆うインソールに取付孔を設け、衝撃吸収用の突起体を導電性材料で形成し、前記突起体を前記インソールの前記取付孔に取り付けて前記突起体を前記インソールの上面から突出させると共に、前記突起体と前記靴底の前記導電路とを接触させたことを特徴とする帯電防止靴を提供する。
２．導電路が形成された靴底の上面を覆うインソールに取付孔を設け、つぼ刺激用の突起体を導電性材料で形成し、前記突起体を前記インソールの前記取付孔に取り付けて前記突起体を前記インソールの上面から突出させると共に、前記突起体と前記靴底の前記導電路とを接触させたことを特徴とする帯電防止靴を提供する。
３．前記突起体は、本体部と、支持部と、本体部及び支持部を結ぶくびれ部とを備えた導電ラバーの成形体であり、弾性変形によって前記くびれ部が前記取付孔に着脱自在に取り付けられ、前記本体部を前記インソールの上面から突出させ、前記支持部を前記導電路に接触させたことを特徴とする前記１又は２に記載の帯電防止靴を提供する。
４．前記取付孔を前記インソールの踵部に設け、前記取付孔に前記突起体を取り付けたことを特徴とする前記１又は３に記載の帯電防止靴を提供する。
５．前記靴底は、上から順に積層される中底、ミッドソール及びアウターソールを備え、前記導電路は、前記中底及び前記アウターソールの全部又は一部に形成される導電部と、前記ミッドソールに設けられる挿通孔と、前記挿通孔に挿通される導電糸とを備え、かつ、前記導電糸の両端部側は前記挿通孔から上方及び下方に導出されて前記中底及び前記アウターソールの各導電部に接触するように構成され、前記突起体を前記中底の前記導電部に接触させたことを特徴とする前記１から４のいずれかに記載の帯電防止靴を提供する。
６．前記中底の前記導電部は、導電糸を前記中底の上下面に露出するように前記中底に縫い込んで形成されたことを特徴とする前記１から５のいずれかに記載の帯電防止靴を提供する。
７．前記アウターソールは導電性材料の成形体であって、前記アウターソール全体を前記導電部としたことを特徴とする前記１から６のいずれかに記載の帯電防止靴を提供する。
【考案の効果】
【０００５】
本考案の帯電防止靴によれば、導電路が形成された靴底の上面を覆うインソールに取付孔を設け、前記取付孔に衝撃吸収用やつぼ刺激用の突起体を導電性材料で形成し、前記突起体を前記インソールの前記取付孔に取り付けて前記突起体を前記インソールの上面から突出すると共に、前記突起体と前記靴底の前記導電路とを接触させたので、衝撃吸収用等の突起体を利用することによって導電路を容易に形成することができる。
【０００６】
また、前記突起体は、本体部と、支持部と、本体部及び支持部を結ぶくびれ部とを備えた導電ラバーの成形体であって、弾性変形によって前記くびれ部が前記取付孔に着脱自在に取り付ければ、劣化し易いインソールの導電部材（突起体）の取り替えが容易となり、修理コストを安価に抑えることができる。
【考案を実施するための最良の形態】
【０００７】
以下、本考案に係る帯電防止靴の実施形態について図面を参照しつつ説明する。
【０００８】
図１は、帯電防止靴のインソール及び分解した靴底積層体１の斜視図であり、図２は、帯電防止靴の断面図である。
【０００９】
帯電防止靴は、甲皮１と、導電路２Ａを有する靴底２と、靴底２の上面を覆うインソール３と、着地時の衝撃を吸収するための突起体４とを備え、靴底２は上から順に中底２１、ミッドソール２２及びアウターソール２３を積層し、かつ、中底２１、ミッドソール２２との間に中芯２４を介在して構成されている。
【００１０】
突起体４は、たとえばカーボンを含有させた導電ラバーの成形体であって、本体部４１と、支持部４２と、本体部４１及び支持部４２を結ぶためにくびれ部４３とを備えている。
【００１１】
インソール３は、合成樹脂の発泡体に天然や合成繊維のように若干の導電性を持つ布を積層して形成されている。インソール３の踵部には取付孔３Ａが設けられ、取付孔３Ａに突起体４のくびれ部４３を突起体４の弾性変形により着脱自在に取り付けることにより突起体４を踵部に位置させ、インソール３の上面から突起体４の本体部４１を突出させている。
【００１２】
中底２１には、細径の導電糸５が中底２１の上下面に露出するように縫い込まれて細長い細長導電部５Ａが形成されている。
【００１３】
ミッドソール２２は、たとえば衝撃吸収に優れたＥＶＡの発泡体からなり、ミッドソール２２の踵部には、取付孔３Ａに対峙する挿通孔２２Ａが形成されている。
【００１４】
アウターソール２３はたとえばカーボンを含有させた導電ラバーの成形体であり、アウターソール２３全体が導電部とされている。
【００１５】
中芯２４は、靴底２の凹凸を緩和するためのものであり、中芯２４の踵部には、取付孔３Ａに対峙する挿通孔２４Ａが設けられている。
【００１６】
ミッドソール２２及び中芯２４の挿通孔２２Ａ，２４Ａには太径の通電糸６が挿通され、該導電糸６の両端部側は挿通孔２２Ａ，２４Ａから上方及び下方に導出され、上方に導出される導電糸６は中芯２４と中底２１とで挟持されて該導電糸６は中底２１の細長導電部５Ａに接触し、下方に導出される導電糸６はミッドソール２２とアウターソール２３とで挟持されて該導電糸６はアウターソール２３に接触している。
【００１７】
このように導電路２Ａは、中底２１の細長導電部５Ａ、導電糸６及びアウターソール２３とで構成されている。
【００１８】
そして、インソール３で靴底２の上面を覆ったときには、突起体４の支持部４２が靴底２の中底２１の細長導電部５Ａと接触することにより、人体の電荷を、突起体４を通じて導電路２Ａから下方に逃がすことができる。
【００１９】
なお、太径の導電糸６の長さは自由に調整され、また、挿通孔２２Ａ，２４Ａから導出された導電糸６を、例えば渦巻き状やのこ歯状に配設しても良い。
【００２０】
細径及び太径の導電糸５，６には、電気の流れやすい金属やカーボン等が混入されている。
【００２１】
また、突起体４は、つぼ刺激用のものであっても良く、つぼ刺激用の突起体４は踵部以外の靴底面に設けても良い。また、突起体４の数や形状は特に限定はされるものではない。
【図面の簡単な説明】
【００２２】
【図１】本発明の実施形態の帯電防止靴のインソール及び分解した靴底の斜視図である。
【図２】同帯電防止靴を示す断面図である。
【符号の説明】
【００２３】
１      甲皮
２Ａ    導電路
２      靴底
２１    中底
２２    ミッドソール
２２Ａ  挿通孔
２３    アウターソール
２４    中芯
２４Ａ  挿通孔
３      インソール
３Ａ    取付孔
４      突起体
５      導電糸
５Ａ    細長導電部
６      通電糸
【図１】
0003109513.tif 000003
【図２】
0003109513.tif 000004